(57)【要約】      （修正有）【課題】拡張可能なペットバッグを提供する。【解決手段】拡張部の折り畳み手順は以下のとおりである。最初に２つの側壁をそれぞれ中間壁２３の２つの側面から分離する。次に、中間壁の頂壁と中壁２３２を上向きに折る。このとき、底壁２３３はちょうど拡張口を覆う。そして、２つの側壁を内側に折り込み底壁に当接させる。側壁の一部又は全部が硬質であるため、２つの側壁が、底壁が崩れて拡張部全体がペットバッグ本体に伸びることを防ぐように、底壁を支える。そして、頂壁と中壁を下に折り畳む。最後に、拡張密閉壁２１を拡張口に接続して拡張口を密閉すると、拡張部の折り畳みが完了する。【選択図】図４
0003234124.tif 000002
【実用新案登録請求の範囲】
【請求項１】
ペットバッグ本体と少なくとも１つの拡張部を備え、ペットバッグ本体には少なくとも１つの拡張口が設けられ、拡張部は、拡張密閉壁と、一部又は全部が硬質である２つの側壁と、軟質の中間壁とで構成され、拡張密閉壁と拡張口は部分的又は完全に分離することができ、中間壁には、順次接続されている頂壁、中間壁、及び底壁が含まれ、頂壁と底壁は、それぞれ拡張口の頂部と底部に接続され、２つの側壁がそれぞれ拡張口の両側に接続され、かつそれぞれ中間壁の両側に位置され、２つの側壁は中間壁の２つの側面に分離可能に接続され、
拡張部の折り畳み中、２つの側壁が、拡張部がペットバッグ本体に伸びることを防ぐように、中間壁の頂壁又は底壁を支持し、拡張部が折り畳まれると、拡張密閉壁は、拡張口の周囲を密閉することができる、
ことを特徴とする、拡張可能なペットバッグ。
【請求項２】
前記側壁が、軟質の側壁布体と硬質の支持体とを備え、側壁布体の下縁と拡張口の側縁と接続され、側壁布体の上縁及び２つの側縁は、いずれも中間壁の側面に分離可能に接続され、側壁布体には収容キャビティが設けられ、支持体は収容キャビティに固定される
ことを特徴とする、請求項１に記載の拡張可能なペットバッグ。
【請求項３】
前記支持体が板状であり、該支持体のサイズが側壁布体のサイズに適合し、あるいは、前記支持体は環状の帯状であり、該支持体が囲むサイズは側壁布体のサイズに適合する
ことを特徴とする、請求項２に記載の拡張可能なペットバッグ。
【請求項４】
前記側壁布体の上縁及び２つの側縁が、いずれも側縁ジッパーにより中間壁の側面に分離可能に接続される
ことを特徴とする、請求項２に記載の拡張可能なペットバッグ。
【請求項５】
前記拡張密閉壁の下縁は、前記拡張口の下縁に固定接続され、拡張密閉壁は底壁の下に位置し、拡張密閉壁の上縁及び２つの側縁は、閉鎖ジッパーを介して拡張口の上縁及び２つの側縁に分離可能に接続される
ことを特徴とする、請求項１に記載の拡張可能なペットバッグ。
【請求項６】
前記中間壁には、第１のペット出入口が設けられ、さらに、第１のペット出入口に開閉可能に接続される第１カバーが設けられている
ことを特徴とする、請求項１に記載の拡張可能なペットバッグ。
【請求項７】
前記ペットバッグ本体の頂部には第２のペット出入口が設けられ、さらに、第２のペット出入口に開閉可能に接続される第２カバーが設けられている
ことを特徴とする、請求項１に記載の拡張可能なペットバッグ。
【請求項８】
前記ペットバッグ本体の側面には第３のペット出入口が設けられ、さらに、第３のペット出入口に開閉可能に接続される第３カバーが設けられている
ことを特徴とする、請求項７に記載の拡張可能なペットバッグ。
【考案の詳細な説明】
【技術分野】
【０００１】
本実用新案は、拡張可能なペットバッグに関する。
【背景技術】
【０００２】
最近では、家族の楽しみを増やすためにペットを飼う人が増えている。また、ペットを仲間や告白の対象とすることもある。人々は外出するとき、しばしばペットを持ち出す。
【０００３】
従来のペットバッグは容積が固定されており、ペットの活動空間を拡大したい場合、比較的大きなペットバッグしか選択できず、よってペットバッグは大きなスペースを占め、持ち運びや配置が容易ではない。そのため、輸送や省スペースの観点から見ても、このような固定スペースのペットバッグでは人々のニーズに応えることはできない。
【０００４】
また、従来、ペットバッグの側面を折り曲げて折り畳んでペットバッグ本体に収容できる拡張可能なペットバッグもある。しかしながら、このようなペットバッグでは、拡張体をペットバッグ本体に収容すると、拡張体部分がペットバッグ本体の空間にまで伸びて、ペットバッグ本体の空間を占めてしまう。また、ペットバッグ拡張体を使用しないときは、ペットバッグ本体の空間が狭くなる。又は、別のペットバッグ構造では、折り畳み後に拡張体がペットバッグ本体の空間に入り込まないように、ペットバッグ本体と拡張体との間に仕切りを設ける。
【考案の概要】
【０００５】
本実用新案は、背景技術の欠点を克服する拡張可能なペットバッグを提供する。本実用新案が技術的問題を解決するために採用する技術的解決策は次のとおりである。
【０００６】
拡張可能なペットバッグは、ペットバッグ本体と少なくとも１つの拡張部を備え、ペットバッグ本体には少なくとも１つの拡張口が設けられている。拡張部は、拡張密閉壁と、一部又は全部が硬質である２つの側壁と、軟質の中間壁で構成され、拡張密閉壁と拡張口は部分的に分離又は完全に分離することができ、中間壁には、順に接続されている頂壁、中壁、及び底壁が含まれている。頂壁と底壁は、それぞれ拡張口の頂部と底部に接続されている。２つの側壁がそれぞれ拡張口の両側に接続され、かつ中間壁の両側に位置される。２つの側壁は中間壁の２つの側面に分離可能に接続される。
【０００７】
拡張部の折り畳み中、２つの側壁が、拡張部がペットバッグ本体に伸びることを防ぐように、中間壁の頂壁又は底壁を支持する。拡張部が折り畳まれると、拡張密閉壁は、拡張口の周囲を密閉することができる。
【０００８】
さらに、前記側壁が、軟質の側壁布体と硬質の支持体とを備え、側壁布体の下縁と拡張口の側縁と接続され、側壁布体の上縁及び２つの側縁は、いずれも中間壁の側面に分離可能に接続され、側壁布体には収容キャビティが設けられ、支持体は収容キャビティに固定される。
【０００９】
さらに、前記支持体が板状であり、該支持体のサイズが側壁布体のサイズに適合し、あるいは、前記支持体は環状の帯状であり、該支持体が囲むサイズは側壁布体のサイズに適合する。
【００１０】
さらに、前記側壁布体の上縁及び２つの側縁が、いずれも側縁ジッパーにより中間壁の側面に分離可能に接続される。
【００１１】
さらに、前記拡張密閉壁の下縁は、前記拡張口の下縁に固定接続され、拡張密閉壁は底壁の下に位置し、拡張密閉壁の上縁及び２つの側縁は、閉鎖ジッパーを介して拡張口の上縁及び２つの側縁に分離可能に接続される。
【００１２】
さらに、前記中間壁には、第１のペット出入口が設けられ、さらに、第１のペット出入口に開閉可能に接続される第１カバーが設けられている。
【００１３】
さらに、前記ペットバッグ本体の頂部には第２のペット出入口が設けられ、さらに、第２のペット出入口に開閉可能に接続される第２カバーが設けられている。
【００１４】
さらに、前記ペットバッグ本体の側面には第３のペット出入口が設けられ、さらに、第３のペット出入口に開閉可能に接続される第３カバーが設けられている。
【００１５】
背景技術と比較して、この技術的解決策は次のメリットがある。
【００１６】
１.拡張密閉壁が拡張口から部分的又は完全に分離され、かつ２つの側壁がそれぞれ中間壁の２つの側面に接続されると、拡張部の拡張が完了する。
【００１７】
拡張部の折り畳み手順は次のとおりである。最初に２つの側壁をそれぞれ中間壁の２つの側面から分離する。次に、中間壁の頂壁と中壁を上向きに折る。このとき、底壁はちょうど拡張口を覆う。そして、２つの側壁を内側に折り込み底壁に当接させる。側壁の一部又は全部が硬質であるため、２つの側壁は、底壁が崩れて拡張部全体がペットバッグ本体に伸びることを防ぐように、底壁を支える。そして、頂壁と中壁を下に折る。最後に、拡張密閉壁を拡張口に接続して拡張口を密閉すると、拡張部の折り畳みが完了する。
【００１８】
２つの側壁が折り畳む過程で底壁を支えることができるので、底壁が崩れるのを防ぐことができ、拡張部全体がペットバッグ本体に伸びるのを防ぐことができる。これにより、仕切りを設けずに拡張部がペットバッグ本体まで伸びることが回避でき、構造はよりシンプルになり、デザインはより独創的である。また、拡張部は必要に応じていつでも展開又は折り畳むことができ、より使いやすくなる。
【００１９】
２.側壁は軟質の側壁布体と硬質の支持体を含み、支持体は側壁布体を支持することができ、よって側壁全体が十分な支持力を有し、よって拡張部が折り畳み中頂壁又は底壁を支持できるだけでなく、拡張部が拡張されると、２つの側壁が中間壁を支持できるため、拡張部全体が一定の支持力を有し、拡張部が崩れることがなく、使用する効果が良くなる。
【００２０】
３．支持体は板状でもよいし、帯状でもよいし、必要に応じて選択することができる。
【００２１】
４．側壁布体の上縁及び２つの側縁は、側縁ジッパーを介して中間壁の側面に分離可能に接続される。側縁ジッパーは、側壁布体と中間壁の側面をすばやく接続又は分離することができ、使いやすい。
【００２２】
５．拡張密閉壁の上縁及び２つの側縁は、閉鎖ジッパーを介して拡張口の上縁及び２つの側縁と分離可能に接続され、拡張密閉壁と拡張口は、シールジッパーを介して迅速に接続又は分離でき、使いやすい。
【００２３】
６．ペットは、第１のペット出入口、第２のペット出入口、又は第３のペット出入口から出入りでき、より使いやすくなる。
【図面の簡単な説明】
【００２４】
以下、図面及び実施形態を参照しながら、本実用新案を詳細に説明する。
【図１】本考案の好ましい実施形態に係る拡張可能なペットバッグの全体概略図であり、このとき拡張部は折り畳まれた状態にある。
【図２】本考案の好ましい実施形態に係る拡張可能なペットバッグの全体概略図を示し、このとき拡張部は拡張状態にある。
【図３】側壁が中間壁から離れた状態を示す模式図である。
【図４】頂壁と中壁を上方に折り畳んだ状態の模式図である。
【図５】頂壁と中壁を上方に折り畳んだ状態の模式図である。
【図６】２つの側壁を内側に折り畳んだ状態を示す模式図である。
【図７】拡張密閉壁が拡張口を密閉した状態の模式図である。
【図８】支持体と側壁布体の分解模式図である。
【図９】支持体と側壁布体との組み立て模式図である。
【考案を実施するための形態】
【００２５】
本実用新案の実用新案登録請求の範囲、明細書、及び図面には、別段の明確な定義がない限り、用語「第１」、「第２」、又は「第３」等は、特定の順序を説明するのではなく、異なる対象を区別するために使用される。
【００２６】
本実用新案の実用新案登録請求の範囲、明細書、及び図面において、別段の明確な定義がない限り、用語「中央」、「横」、「縦」、「水平」、「垂直」、「トップ」、「ボトム」、「内」、「外」、「上」、「下」、「前」、「後ろ」、「左」、「右」、「時計回り」、「反時計回り」などで示される方向または位置関係は、図面に示される向きまたは位置関係に基づいて、実用新案を説明し、および説明を簡素化するためだけのものである。参照されるデバイスまたは要素が特定の向き、特定の向きで構造され動作されることしかできないことを明示したり暗示したりするものではない。したがって、本実用新案に対する制限として理解してはならない。
【００２７】
本実用新案の実用新案登録請求の範囲、明細書、及び上記図面には、別段の明確な定義がない限り、用語「固定接続」が使用される場合、それは広義に理解されるべきである。即ち、両者の間の変位関係もなく相対回転関係もない任意の接続形態であり、すなわち、非着脱式の固定接続、着脱式の固定接続、一体になる接続、及び他の装置又は要素を介した固定接続が含まれる。
【００２８】
本実用新案の実用新案登録請求の範囲、明細書、及び上記図面には、「含む」、「有する」、及びそれらの変形が使用される場合、「含むが、これらに限定されない」という意味である。
【００２９】
図１から図９に示すように、ペットバッグの好ましい実施形態によれば、前記拡張可能なペットバッグは、ペットバッグ本体１０と少なくとも１つの拡張部２０とを備える。
【００３０】
ペットバッグ本体１０には、少なくとも１つの拡張口１１が設けられている。本実施形態では、拡張口１１が２つ設けられており、ペットバッグ本体１０の前後の２つの側面にそれぞれ配置されている。拡張口１１の数も、必要に応じて、１つ、３つ、又は４つとすることができるが、これに限定されない。
【００３１】
本実施形態では、ペットバッグ本体１０の頂部に第２のペット出入口１２が設けられ、さらに第２カバー１３が設けられ、該第２カバー１３が第２のペット出入口１２に開閉可能に接続されている。具体的には、該第２カバー１３は、第２のペット出入口１２の縁に第２のカバージッパーを介して接続可能である。あるいは、第２カバー１３は、第２のペット出入口１２の縁にボタン留めやベルクロ(登録商標)接着等により接続することも可能であり、接続方法はこれらに限定されない。
【００３２】
本実施形態では、ペットバッグ本体１０の側面に第３のペット出入口１４が設けられ、さらに第３カバー１５が設けられ、該第３カバー１５は第３のペット出入口１４に開閉可能に接続されている。図３に示すように、第３のペット出入口１４は、ペットバッグ本体１０の左右両側に２つ設けられており、第３カバー１５も２つ設けられており、それぞれ２つの第３のペット出入口１４に接続されている。第３カバー１５と第３のペット出入口１４との接続方法も、ジッパーロック接続、ボタン留め、ベルクロ接着などとすることができるが、これに限定されない。
【００３３】
前記拡張部２０は、拡張密閉壁２１と、一部又は全部が硬質である２つの側壁２２と、軟質の中間壁２３で構成される。拡張密閉壁２１と拡張口１１は、部分的又は完全に分離可能に接続することができる。中間壁２３は、順次接続される頂壁２３１、中壁２３２、底壁２３３を含み、頂壁２３１と底壁２３３はそれぞれ拡張口１１の頂部と底部に接続され、２つの側壁２２は、拡張口１１の両側にそれぞれ接続されてそれぞれ中間壁２３の両側に位置する。２つの側壁２２は、それぞれ中間壁２３の両側に分離可能に接続されている。２つの側壁２２は、拡張部２０の折り畳み中、拡張部がペットバッグ本体１０内に伸びるのを防止するように、中間壁２３の頂壁又は底壁を支持することができる。拡張密封壁２１は、拡張部２０が折り畳まれたときに、拡張口１１の周囲を密閉することができる。
【００３４】
本実施形態において、前記側壁２２は、軟質の側壁布体２２１と、硬質の支持体２２２とを備える。側壁布体２２１の下縁は拡張口１１の側縁に接続され、壁布本体２２１の上縁及び２つの側縁は中間壁２３の側面に分離可能に接続される。側壁布体２２１には収容キャビティが設けられ、支持体２２２は収容キャビティに固定されている。側壁布体２２１は、中空又は中実の布面とすることができるが、これに限定されない。側壁布体２２１の下縁と拡張口１１の側縁とを直接縫い合わせることもできる。
【００３５】
本実施形態では、図８及び図９に示すように、前記支持体２２２は環状の帯状であり、支持体２２２が囲むサイズは側壁布体２２１のサイズに適合している。収容キャビティの下縁には開口部２２３が設けられ、開口部２２３には収容キャビティジッパーが設けられている。支持体２２２が収容キャビティに完全に挿入されると、支持体２２２が収容キャビティの開口部２２３から脱出しないように、収容キャビティは収容キャビティジッパーによって密閉される。このように、側壁２２は、部分的に硬質である。すなわち、側壁２２の周囲は硬質であり、中間部はまだ軟質の布である。あるいは、前記支持体２２２は板状であり、支持体２２２のサイズは側壁布体２２１のサイズに適合している。即ち、この構成の側壁２２の全面が硬質であり、支持効果がより高い。
【００３６】
本実施形態では、図２及び図３に示すように、前記側壁布体２２１の上縁及び２つの側縁が中間壁２３の側面に側縁ジッパーを介して分離可能に接続されている。必要に応じて、側壁布体２２１と中間壁２３とをボタン留めやベルクロ接着等で接続することもできるが、これらに限定されない。
【００３７】
本実施形態には、前記拡張密閉壁２１の下縁は拡張口１１の下縁に固定接続され、拡張密閉壁２１は底壁の下に位置する。拡張密閉壁２１の上縁及び２つの側縁は、いずれも閉鎖ジッパーを介して拡張口１１の上縁及び２つの側縁に分離可能に接続される。
【００３８】
本実施形態には、前記中間壁２３には、第１のペット出入口２３４が設けられ、さらに第１カバー２３５が設けられ、該第１カバー２３５は、第１のペット出入口２３４に開閉可能に接続され、ペットの出入りを容易にする。図２に示すように、第１カバーと第１のペット出入口は、第１のカバージッパーで接続されており、使いやすい。また、第１カバー２３５は、第１のペット出入口２３４の縁部にボタン留めやベルクロ接着により接続されてもよく、接続方法はこれに限定されない。なお、必要に応じて、中間壁２３に第１のペット出入口２３４を設けなくてもよい。
【００３９】
図２に示すように、拡張部２０が完全に拡張した状態であり、このとき拡張密封壁２１は底壁２３３の下に位置し、２つの側壁２２はそれぞれ側縁ジッパーを介して中間壁２３の２つの側面に接続されている。側壁２２と中間壁２３は、直方体又は略直方体形状の拡張空間を形成し、この拡張空間はペットバッグ本体１０の本体空間に連通し、ペットが本体空間と拡張空間との間で自由に移動できる。この拡張空間は一定の支持力を有し、よって拡張空間全体をより直立させ、崩壊しない。
【００４０】
ペットバッグの拡張部２０の折り畳み手順は次のとおりである。
【００４１】
図３に示すように、最初に２つの側縁ジッパーを開き、２つの側壁２２は中間壁２３の２つの側面から分離する。次に、図４に示すように、頂壁２３１と中壁２３２を上向きに折る。このとき、底壁２３３を駆動して持ち上げる。図５に示すように、頂壁２３１と中壁２３２とが完全に上方に折り畳まれると、底壁２３３がちょうど拡張口１１に位置する。そして、図６に示すように、２つの側壁２２を内側に折り曲げて底壁２３３の外側に当接し、次に頂壁２３１を下に折り畳む。最後に、図７に示すように、拡張密閉壁２１を閉鎖ジッパーによって拡張口１１の縁に接続し密閉すると、拡張部２０の折り畳みが完了する。側壁２２は一定の支持力を有し、底壁２３３の上部は中壁２３２に接続され、下部は拡張口１１の下縁に接続されているので、中間を側壁２２によって支持された後、支持力を有する仕切りが形成され、ペットバッグ本体１０の本体空間は拡張部２０から分離され、拡張部２０の頂壁２３１、中壁２３２、及び側壁２２は、本体空間に入ることがない。
【００４２】
このペットバッグは、拡張部２０を本体空間から隔離するための隔離板を別途設ける必要がなく、材料を節約し、構造を簡素化することができる。また、側壁２２は一定の支持力を有し、一方の側壁２２と中間壁２３との側縁ジッパーを開けると、中間壁２３の側面をペットの出入り口としても利用できるので、使いやすい。
【００４３】
上記は本実用新案の好ましい実施形態に過ぎず、本実用新案の実施範囲はそれに応じて限定されるものではない。すなわち、本実用新案の実用新案登録請求の範囲及び明細書の内容に従って行われる同等の変更及び修正は、依然として本実用新案の範囲内にある。
【図１】
0003234124.tif 000003
【図２】
0003234124.tif 000004
【図３】
0003234124.tif 000005
【図４】
0003234124.tif 000006
【図５】
0003234124.tif 000007
【図６】
0003234124.tif 000008
【図７】
0003234124.tif 000009
【図８】
0003234124.tif 000010
【図９】
0003234124.tif 000011